(57)【要約】【課題】  裏面点検タイプのランタンおよびインジケータを昇降路側から容易に点検することができるエレベータの出入口装置を提供する。【解決手段】  エレベータの出入口装置は、建屋構造１０に固定され、上下方向に延びる垂直部４ａを有するバックアングル４と、バックアングル４の垂直部４ａに取付けられたヘッダーケース２と、ヘッダーケース２に支持されたレール３と、レール３に可動に支持されたホールドアパネル１とを備えている。ヘッダーケースはバックアングル４の垂直部４ａに沿って移動自在となっている。垂直部４ａに複数の追加開口８が形成され、ヘッダーケース２を持上げて所望の追加開口８にボルト７を挿着することにより、ヘッダーケース２とホールドアパネル１を上方に移動して固定することができる。【選択図】  図１
2006193270.tif 000002
【特許請求の範囲】
【請求項１】
建屋構造に固定されるとともに、上下方向に延びる垂直部を有するバックアングルと、
前記バックアングルの前記垂直部に取付けられたヘッダーケースと、
前記ヘッダーケースにより保持されたレールと、
前記レールにより可動自在に支持されたホールドアパネルとを備え、
前記ヘッダーケースは前記バックアングルの垂直部に沿って移動自在となっており、かつ前記バックアングルの垂直部の所望位置に固定手段を介して固定されることを特徴とするエレベータの出入口装置。
【請求項２】
前記固定手段は前記バックアングルの垂直部に上下方向に沿って配置された複数の開口と、前記ヘッダーケースおよび前記バックアングルのいずれかの開口に挿着されるボルトとを有することを特徴とする請求項１記載のエレベータの出入口装置。
【請求項３】
前記固定手段は前記バックアングルの前記垂直部と前記ヘッダーケースとを連結するとともに回転自在のボルトと、前記ボルトを回転させる金具とを有し、前記金具によってボルトを回転させることによりヘッダーケースが垂直部に沿って移動することを特徴とする請求項１記載のエレベータの出入口装置。
【請求項４】
前記固定手段は前記バックアングルに設けられた巻取装置と、前記巻取装置と前記ヘッダーケースとを連結するワイヤとを有することを特徴とする請求項１記載のエレベータの出入口装置。
【発明の詳細な説明】
【技術分野】
【０００１】
本発明は、エレベータの乗場側に設置された出入口装置に関する。
【背景技術】
【０００２】
図４乃至図６により、従来のエレベータの出入口装置図を示す。図４において、建屋構造１０の壁や鉄骨にアンカーボルトや溶接によりバックアングル４が固定されている。他方、ホールドアパネル１がヘッダーケース２のレール３に取付され、かごドア（図省略）の開閉に合わせてレール３に沿って左右に開閉する。またヘッダーケース２はバックアングル４にボルト７により固定されている。
【０００３】
ところで、図５および図６に示すように、乗場側（ホール側）からランプ交換等の点検ができないタイプのホールランタン５やホールインジケータ６をヘッダーケース２近傍に設置した場合、これらホールランタン５およびホールインジケータ６の点検がむずかしい。
【０００４】
このように表面点検ができないランタン５やインジケータ６がヘッダーケース２近傍に設置されるときは、予めヘッダーケース２を上側へ２００ｍｍ程度移動させて建屋に固定し、点検の際は２００ｍｍ程度延長したホールドアパネル１を左右に開いたりして昇降路側より点検している。
【発明の開示】
【発明が解決しようとする課題】
【０００５】
しかしながら、従来のエレベータの出入口装置において、表面点検タイプのランタン５やインジケータ６の意匠が変更されて裏面点検タイプとなってホール側より点検ができなくなったときに、設置場所によってはランタン５やインジケータ６がヘッダーケース２と干渉し昇降路側からも点検ができないことがある。
【０００６】
またランタンやインジケータが裏面点検タイプのとき、予めヘッダーケース２を上側へ２００ｍｍ程度移動させて据付しても、ランタン５やインジケータ６が意匠が変更され形状や取り付け高さが変わり、ヘッダーケース２と干渉して点検できないことがある。
【０００７】
本発明は、このような点を考慮してなされたものであり、ランタンやインジケータの意匠が表面点検タイプから裏面点検構造に変更されたり、裏面点検タイプのランタンやインジケータの位置が変更されても、昇降路側よりこれらランタンやインジケータの点検が可能なエレベータの出入口装置を提供することを目的とする。
【課題を解決するための手段】
【０００８】
本発明は、建屋構造に固定されるとともに、上下方向に延びる垂直部を有するバックアングルと、バックアングルの垂直部に取付けられたヘッダーケースと、ヘッダーケースにより保持されたレールと、レールにより可動自在に支持されたホールドアパネルとを備え、ヘッダーケースはバックアングルの垂直部に沿って移動自在となっており、かつバックアングルの垂直部の所望位置に固定手段を介して固定されることを特徴とするエレベータの出入口装置である。
【０００９】
本発明は、固定手段はバックアングルの垂直部に上下方向に沿って配置された複数の開口と、ヘッダーケースおよびバックアングルのいずれかの開口に挿着されるボルトとを有することを特徴とするエレベータの出入口装置である。
【００１０】
本発明は、固定手段はバックアングルの垂直部とヘッダーケースとを連結するとともに回転自在のボルトと、ボルトを回転させる金具とを有し、金具によってボルトを回転させることによりヘッダーケースが垂直部に沿って移動することを特徴とするエレベータの出入口装置である。
【００１１】
本発明は、固定手段はバックアングルに設けられた巻取装置と、巻取装置とヘッダーケースとを連結するワイヤとを有することを特徴とするエレベータの出入口装置である。
【発明の効果】
【００１２】
以上のように、本発明によれば、ランタンやインジケータが表面点検タイプから裏面点検タイプに変更されたり、裏面点検タイプのランタンやインジケータの位置が変更されてヘッダーケースと干渉しても、ヘッダーケースをバックアングルの垂直部に沿って移動させ、ヘッダーケースの高さを調整することにより、ランタンやインジケータを昇降路側より点検することができる。また、ランタンやインジケータを点検するため予めヘッダーケースを必要以上に上方に設置する必要がなくなる。
【発明を実施するための最良の形態】
【００１３】
第１の実施の形態
以下、図面を参照して本発明の実施の形態について説明する。図１は本発明によるエレベータの出入口装置の第１の実施の形態を示す図である。
【００１４】
図１に示すように、エレベータの出入口装置は建屋構造１０に固定されるとともに、上下方向に延びる一対の垂直部４ａと水平方向に延びる水平部４ｂとを有するバックアングル４と、バックアングル４の垂直部４ａに取付けられたヘッダーケース２とを備えている。
【００１５】
このうちヘッダーケース２はバックアングル４の各垂直部４ａに沿って移動自在となっている。またヘッダーケース２にはレール３が保持され、このレール３によりホールドアパネル１が可動に支持されている。
【００１６】
ところで、バックアングル４の各垂直部４ａに、上下方向に沿って複数の追加開口８が形成されている。図１において、各垂直部４ａは追加開口８が形成された延長部４ｅを有するが、この延長部４ｅは垂直部４ａの他の部分と一体に設けてもよい。
【００１７】
各垂直部４ａに沿ってヘッダーケース２を上下方向に移動させ、各垂直部４ａの所望位置にヘッダーケース２を固定することができる。この場合、ボルト７をヘッダーケース２および所望の追加開口８内に挿着することにより、ヘッダーケース２を各垂直部４ａに固定する。
【００１８】
図１において、各垂直部４ａの複数の追加開口８とボルト７とによって、バックアングルを垂直部４ａの所望位置に固定する固定手段が構成される。
【００１９】
次にこのような構成からなる本実施の形態の作用について説明する。
【００２０】
裏面点検タイプのランタン５やインジケータ６を点検する場合を考える。このときヘッダーケース２がランタン５やインジケータ６に干渉し点検できないときは、ヘッダーケース２とバックアングル４を固定しているボルト７を垂直部４ａに設けた通常位置の開口（図示せず）から取外す。次に数人でヘッダーケース２とホールドアパネル１を持ち上げて、バックアングル４の垂直部４ａに沿って上方へ移動させ、バックアングル４の垂直部４ａの上側に加工した追加開口８を利用し、ヘッダーケース２とこの追加開口８内にボルト７を挿着してヘッダーケース２を固定する。次にホールドアパネル１を開き、ランタン５およびインジケータ６を昇降路側（裏面側）から点検する。
【００２１】
ランタン５とインジケータ６の点検終了後は、ヘッダーケース２を垂直部４ａに固定していたボルト７を取外す。次にヘッダーケース２とホールドアパネル１を保持しながら、ヘッダーケース２をバックアングル４の垂直部４ａに沿って下方へ移動させ、元の位置に戻してボルト７を垂直部４ａの通常位置の開口に挿着して固定する。
【００２２】
以上のように本実施の形態によれば、裏面点検タイプのランタン５およびインジケータ６を点検する場合、ボルト７を取外し、ヘッダーケース２とホールドアパネル１を上方へ移動させたのち、ボルト７を所望の開口８内に挿着することにより、ヘッダーケース２を上側へ移動させて固定することができる。このためランタン５およびインジケータ６を昇降路側（裏面側）から容易かつ簡単に点検することができる。
【００２３】
第２の実施の形態
次に図２により、本発明の第２の実施の形態について説明する。図２に示す第２の実施の形態において、図１に示す第１の実施の形態と同一部分には、同一符号を付して詳細な説明は省略する。
【００２４】
図２において、エレベータの出入口装置はホールドアパネル１と、ヘッダーケース２と、上下方向に延びる垂直部４ａを有するバックアングル４とから構成されている。
【００２５】
バックアングル４の垂直部４ａの上端部４ｔとヘッダーケース２との間には全ネジボルト９が延びている。この全ネジボルト９は上端部４ｔに金具１０を介して連結され、ヘッダーケース２に金具１１を介して連結されている。このうち全ネジボルト９、および金具１０、１１により固定手段が構成される。
【００２６】
裏面点検タイプのランタン５やインジケータ６を点検するときに、ヘッダーケース２が干渉し点検できないときは、ヘッダーケース２とバックアングル４の垂直部４ａの通常位置の開口に挿着されているボルト７を取外し、金具１０を介してボルト９を回転させる。このことにより、わずかな労力でヘッダーケース２とホールドアパネル１を持ち上げることができる。次にホールドアパネル１を開き、昇降路側からランタン５とインジケータ６を点検する。
【００２７】
ランタン５とインジケータ６の点検終了後は、金具１０を介してボルト９を反対に回し、ヘッダーケース２とホールドアパネル１を元の位置に戻す。その後、ボルト７をヘッダーケース２と垂直部４ａの通常位置の開口に挿着してヘッダーケース２を固定する。
【００２８】
以上のように本実施の形態によれば、裏面点検タイプのランタン５およびインジケータ６を点検する場合、ボルト９を回転させ、ヘッダーケース２とホールドアパネル１を上方へ移動させる。このためランタン５およびインジケータ６を昇降路側（裏面側）から容易かつ簡単に点検することができる。
【００２９】
第３の実施の形態
次に図３により、本発明の第３の実施の形態について説明する。図３に示す第３の実施の形態において、図１に示す第１の実施の形態と同一部分には同一符号を付して詳細な説明は省略する。
【００３０】
図３において、エレベータの出入口装置はホールドアパネル１と、ヘッダーケース２と、上下方向に延びる垂直部４ａを有するバックアングル４とを備えている。
【００３１】
またバックアングル４の垂直部４ａには、サポート４ｓが取付けられており、このサポート４ｓ上にシーブ１４と巻取装置１５が設置されている。また巻取装置１５とヘッダーケース２とはワイヤ１３により連結され、巻取装置１５とヘッダーケース２との間のワイヤ１３は、シーブ１４に掛け渡されている。
【００３２】
これらサポート４ｓと、ワイヤ１３と、シーブ１４と、巻取装置１５とによって固定手段が構成されている。
【００３３】
裏面点検タイプのランタン５やインジケータ６を点検するときにヘッダーケース２が干渉し点検できないときは、サポート４ｓをバックアングル４の垂直部４ａ上部に取付ける。その後、サポート４ｓ上にシーブ１４と巻取装置１５を設置する。
【００３４】
次に巻取装置１５から延ばしたワイヤ１３をシーブ１４を介してヘッダーケース２に取り付ける。次にヘッダーケース２とバックアングル４の垂直部４ａを固定しているボルト７を取外し、巻取装置１５を作動させることにより、より簡単にヘッダーケース２とホールドアパネル１を持ち上げることができる。
【００３５】
次にホールドアパネル１を開き、昇降路側からランタン５とインジケータ６を点検する。
【００３６】
ランタン５およびインジケータ６を点検終了後は再び、巻取装置１５を逆に作動させることにより、ヘッダーケース２とホールドアパネル１を元の位置に戻す。その後、ボルト７をヘッダーケース２と垂直部４ａの開口８に挿着してヘッダーケース２を固定する。
【００３７】
以上のように本実施の形態によれば、裏面点検タイプのランタンおよびインジケータ６を点検する場合、巻取装置１５を作動させて、ヘッダーケース２とホールドアパネル１を上方へ移動させる。このためランタン５およびインジケータ６を昇降路側（裏面側）から容易かつ簡単に点検することができる。
【図面の簡単な説明】
【００３８】
【図１】本発明によるエレベータの出入口装置の第１の実施の形態を示す構成図。
【図２】本発明によるエレベータの出入口装置の第２の実施の形態を示す構成図。
【図３】本発明によるエレベータの出入口装置の第３の実施の形態を示す構成図。
【図４】エレベータの出入口装置の構成図。
【図５】ホールランタンの概略構成図。
【図６】ホールインジケータの概略構成図。
【符号の説明】
【００３９】
１  ホールドアパネル
２  ヘッダーケース
３  レール
４  バックアングル
４ａ  垂直部
４ｂ  水平部
４ｅ  延長部
４ｓ  サポート
４ｔ  上端部
５  ランタン
６  インジケータ
７  ボルト
８  開口
８ａ  延長部
９  全ネジボルト
１０  建屋構造
１３  ワイヤ
１４  シーブ
１５  巻取装置
【図１】
2006193270.tif 000003
【図２】
2006193270.tif 000004
【図３】
2006193270.tif 000005
【図４】
2006193270.tif 000006
【図５】
2006193270.tif 000007
【図６】
2006193270.tif 000008